(57)【要約】【課題】  階段下地を利用した仮設階段であって、上下階の昇降及び階段下空間の出入りを簡単且つ安全に行うことができる仮設階段及び当該仮設階段を利用した建築物の屋内施工方法を提供する。【解決手段】仮設階段１は、傾斜して設置される一対の平行な桁材３と、桁材３に所定の段板間隔で固定される複数の段板４とを備えた階段下地２に形成され、２段以上に亘って段板４が設けられておらず、桁材３の間を通って階段下に進入可能に形成された階段下進入口５に、設置される仮設階段１であって、階段下進入口５の上側の段板４ａに載置される上側載置部６２と、階段下進入口５の下側の段板５ｂに載置される下側載置部６３と、を備え、平行に配置される一対の仮設側板６と、一対の仮設側板６の間に架け渡される仮設踏板７と、を備え、仮設踏板７は、一対の仮設側板６に着脱自在に架け渡される。【選択図】図１
2020051199.tif 000002
【特許請求の範囲】
【請求項１】
傾斜して設置される一対の平行な桁材と、前記桁材に所定の段板間隔で固定される複数の段板とを備えた階段下地に形成され、２段以上に亘って前記段板が設けられておらず、前記桁材の間を通って階段下に進入可能に形成された階段下進入口に、設置される仮設階段であって、
前記階段下進入口の上側の前記段板に載置される上側載置部と、前記階段下進入口の下側の前記段板に載置される下側載置部と、を備え、平行に配置される一対の仮設側板と、
前記一対の仮設側板の間に架け渡される仮設踏板と、
を備え、
前記仮設踏板は、前記一対の仮設側板に着脱自在に架け渡されることを特徴とする仮設階段。
【請求項２】
前記一対の仮設側板の互いに対向する面に前記仮設踏板の端部を受ける受け部が突出して形成されており、
前記受け部の上面及び前記仮設踏板の端部下面の一方に係止突起が形成されるとともに、他方に前記係止突起を受け入れる受け入れ孔が形成されることを特徴とする請求項１に記載の仮設階段。
【請求項３】
前記上側載置部及び前記下側載置部に防滑性シートが設けられることを特徴とする請求項１又は請求項２に記載の仮設階段。
【請求項４】
複数階層を有する建築物の屋内施工方法であって、
傾斜して設置される一対の平行な桁材と、前記桁材に所定の段板間隔で固定される複数の段板と、連続する２段以上に亘って前記桁材に前記段板が設けられていない階段下進入口と、を有する階段下地を設置する工程と、
前記階段下進入口に請求項１から請求項３に記載の仮設階段を設置する工程と、
階段下の工事を行う階段下作業工程と、
上階の工事を行う上階作業工程と、
を備え、
前記階段下作業工程を行う場合に、前記一対の仮設側板から前記仮設踏板を取り外して階段下に出入りするとともに、
前記上階作業工程を行う場合に、前記一対の仮設側板に前記仮設踏板を架け渡して上下階の移動を行うことを特徴とする建築物の屋内施工方法。
【発明の詳細な説明】
【技術分野】
【０００１】
本発明は、階段下に進入可能な仮設階段及びこれを利用した建築物の屋内施工方法に関する。
【背景技術】
【０００２】
従来より、斜めに架け渡される一対の桁材と、建築物の梁と桁材の上端とを接合する上端接合部と、建築物の基礎と桁材の下端とを接合する下端接合部と、を備えた階段下地が提案されており、このような階段下地において仮設の渡し板を一対の桁材の水平面上にビスで固定することで仮設階段として建築物の施工に利用する点が知られている。
【０００３】
このように階段下地を仮設階段として利用することで、上階への資材の搬入や作業者の昇降の安全性を高めることができるとともに、別途仮設階段や梯子を設置する必要がないので低コストで施工することができる。
【先行技術文献】
【特許文献】
【０００４】
【特許文献１】特開２０１８−１６９６４号公報
【発明の概要】
【発明が解決しようとする課題】
【０００５】
ところで、建築物の内装工事などの屋内工事を行う際に、階段下の空間が界壁や間仕切壁で閉じられている場合がある。そして、このような場合に、上下階を行き来する必要がある場合には、作業者は既に桁材に固定されている下地の段板又はビス固定された仮設の渡し板の上を利用して階段下地を昇降する。一方、階段下の空間に入って作業を行う必要が生じると、既に桁材に固定されている段板又はビス固定された渡し板を一旦取り外して、階段下の空間に進入する必要がある。
【０００６】
しかし、階段下の空間に出入りする度毎に、段板等を取り外す作業を行うのは面倒であり、特に階段下の空間に入りこんだ後に段板等を桁材に取り付け又は取り外す作業は、狭い空間で片手で段板を桁材の所定位置に保持しながら作業を行うことになるので作業が困難である。一方、例えば２段程度の段板等を外したままにしておけば、階段下空間の出入りの度毎に段板等を取り付け及び取り外しする作業は省略できるが、上下階の移動の際に段板が無い部分が生じる危険があり、別の位置に仮設階段を設置するなどの手間が掛かる。
【０００７】
そこで本発明は、階段下地を利用した仮設階段であって、上下階の昇降及び階段下空間の出入りを簡単且つ安全に行うことができる仮設階段及び当該仮設階段を利用した建築物の屋内施工方法を提供することを目的とする。
【課題を解決するための手段】
【０００８】
本発明の仮設階段は、傾斜して設置される一対の平行な桁材と、前記桁材に所定の段板間隔で固定される複数の段板とを備えた階段下地に形成され、２段以上に亘って前記段板が設けられておらず、前記桁材の間を通って階段下に進入可能に形成された階段下進入口に、設置される仮設階段であって、前記階段下進入口の上側の前記段板に載置される上側載置部と、前記階段下進入口の下側の前記段板に載置される下側載置部と、を備え、平行に配置される一対の仮設側板と、前記一対の仮設側板の間に架け渡される仮設踏板と、を備え、前記仮設踏板は、前記一対の仮設側板に着脱自在に架け渡されることを特徴としている。
【０００９】
本発明の仮設階段は、前記一対の仮設側板の互いに対向する面に前記仮設踏板の端部を受ける受け部が突出して形成されており、前記受け部の上面及び前記仮設踏板の端部下面の一方に係止突起が形成されるとともに、他方に前記係止突起を受け入れる受け入れ孔が形成されることを特徴としている。
【００１０】
本発明の仮設階段は、前記上側載置部及び前記下側載置部に防滑性シートが設けられることを特徴としている。
【００１１】
本発明の建築物の屋内施工方法は、複数階層を有する建築物の屋内施工方法であって、傾斜して設置される一対の平行な桁材と、前記桁材に所定の段板間隔で固定される複数の段板と、連続する２段以上に亘って前記桁材に前記段板が設けられていない階段下進入口と、を有する階段下地を設置する工程と、前記階段下進入口に請求項１から請求項３に記載の仮設階段を設置する工程と、階段下の工事を行う階段下作業工程と、上階の工事を行う上階作業工程と、を備え、前記階段下作業工程を行う場合に、前記一対の仮設側板から前記仮設踏板を取り外して階段下に出入りするとともに、前記上階作業工程を行う場合に、前記一対の仮設側板に前記仮設踏板を架け渡して上下階の移動を行うことを特徴としている。
【発明の効果】
【００１２】
本発明の仮設階段によると、階段下地に、２段以上に亘って段板が設けられておらず、桁材の間を通って階段下に進入可能に形成された階段下進入口が設けられており、仮設階段が当該階段下進入口に設置される。仮設階段は、一対の仮設側板と仮設踏板とを備えており、一対の仮設側板は、上側載置部を階段下進入口の上側の段板に載置させ、下側載置部を階段下進入口の下側の段板に載置させるだけで設置できる。そして、仮設踏板は、一対の仮設側板に着脱自在に架け渡されるので、上下階の昇降のときには、仮設踏板を一対の仮設側板の間に架け渡すことで、安全に上下階の昇降ができるとともに、階段下空間の出入りの際には、仮設踏板を一対の仮設側板から取り外すことで、簡単に階段下空間の出入りができる。
【００１３】
本発明の仮設階段によると、仮設踏板の端部を受ける受け部は、一対の仮設側板の互いに対向する面から突出して形成されており、受け部の上面及び仮設踏板の端部下面の、一方に係止突起が形成されるとともに、他方に係止突起を受け入れる受け入れ孔が形成されるので、係止突起が受け入れ孔に挿入されるように仮設踏板を下方に移動させて、仮設踏板の端部を一対の仮設側板の上面に載置するだけで、ビス等によって固定することなしに、仮設踏板を一対の仮設側板の間に架設することができる。そして、仮設踏板を上方に移動させるだけで、係止突起は受け入れ孔から抜け出ることになるので、仮設踏板を一対の仮設側板から簡単に取り外すことができる。特に階段下にいる作業者が仮設踏板を取り外す際に、単に仮設側板を上方に向けて押し上げるだけでよいので、極めて簡単に仮設踏板を取り外すことができる。このように一対の仮設側板に仮設踏板を取り付ける作業及び一対の仮設側板から仮設踏板を取り外す作業を面倒ではない簡単な作業とすることで、階段下空間の出入りをするときに仮設踏板を取り外し及び取り付けを行って、それ以外のときには仮設踏板が一対の仮設側板に架設された状態を維持できるので、上下階の昇降を安全に行うことができる。
【００１４】
本発明の仮設階段によると、上側載置部及び下側載置部に防滑性シートが設けられることで、一対の仮設側板を階段下進入口の上下の段板に載置したときに滑ることなく安定するので、仮設階段を利用した上下階の昇降をより安全に行うことができる。
【００１５】
本発明の建築物の屋内施工方法によると、階段下地が設置された後、上述の仮設階段が階段下進入口に設置される。そして、階段下作業工程を行う場合に、一対の仮設側板から仮設踏板を取り外して階段下に出入りするとともに、上階作業工程を行う場合に、一対の仮設側板に仮設踏板を架け渡して上下階の移動を行うので、簡単に階段下に出入りすることができるとともに、簡単に上下階の移動を行うことができる。
【図面の簡単な説明】
【００１６】
【図１】仮設階段が設置された階段下地の全体構成を示す側面図。
【図２】仮設階段が設置された階段下地の全体構成を示す斜視図。
【図３】一対の仮設側板の全体構成を示す斜視図。
【図４】（Ａ）は仮設踏板を斜め上方から見た斜視図であり、（Ｂ）は仮設踏板を斜め下方から見た斜視図。
【図５】階段下地の階段下進入口に仮設階段を設置する状態を示す分解斜視図。
【図６】階段下地の階段下進入口に仮設階段を設置した状態を示す側面図。
【図７】階段下地の下から２段目及び３段目の段板が取り外されて、階段下進入口を形成した状態を説明する斜視図。
【図８】階段下進入口に一対の仮設側板を設置した状態を示す一部省略拡大斜視図。
【図９】一対の仮設側板の間に仮設踏板を設置する状態を示す側面図。
【図１０】階段下進入口に仮設階段を設置した状態を示す一部省略拡大斜視図。
【図１１】階段下進入口が形成された位置に段板をボルト固定して階段下地を完成させる状態を説明する側面図。
【図１２】完成した階段下地に化粧段板及び化粧蹴込み板を固定して階段を仕上げる状態を説明する図。
【発明を実施するための形態】
【００１７】
以下、本発明に係る仮設階段１及び建築物の屋内施工方法の実施形態について、各図を参照しつつ説明する。本実施形態の仮設階段１は、建築物の施工時に上下階を行き来するために仮設される階段であって、建築物の階段下地２を利用して形成される。建築物は例えば鉄骨造の集合住宅であり、２回建て以上の複数階層を有している。なお、建築物は集合住宅に限定されるものではなく、戸建住宅や居住以外の用途の建築物であっても良い。また、鉄骨造に限定されるものではなく、木造やＲＣ造などの他の建物構造であっても良い。
【００１８】
まず、図１及び図２を参照しつつ、階段下地２の構成を説明する。なお、図示の都合上、各図面において、階段下地２の両側に配置される壁面や手摺の記載を省略している。階段下地２は、図１及び図２に示すように直階段の階段下地２である。なお、直階段に限定されるものではなく、かね折れ階段や折り返し階段のような階段であってもよい。
【００１９】
階段下地２は、図１及び図２に示すように、傾斜して設置される一対の平行な桁材３と、桁材３に所定の段板間隔で固定される例えば１４段の段板４と、を備えており、１４段の段板４のうち、連続する２段の段板４が取り外されて階段下進入口５を形成している。段板４の段数はこれに限定されるものではなく、また階段下進入口５を形成するために取り外される段板４の数は２段に限定されるものではない。桁材３は例えばＣ形鋼で形成されており、上階側の端部がＨ形鋼の梁１１に図示しないプレートを介して固定されるとともに、基礎から立ち上がる複数の補助柱１２に支持されている。桁材３は特に限定されるわけではないが例えば約４５度の勾配で固定されている。
【００２０】
段板４は、桁材３にボルト固定される鋼製のプレートである。段板４は水平な上面板４１と、上面板４１の両側端の下方にＶ字状に形成されて一方の面が桁材３の傾斜する上面に当接する固定部４２と、上面板４１の蹴込み側の端部から下方に垂れ下がる垂れ部４３とを有している。固定部４２の一方の面が桁材３の上面に当接したときに、段板４の上面板４１が水平となるので、桁材３の勾配が４５度である場合、段板４の上面板４１と固定部４２の一方の面との成す角は４５度である。なお、側面視Ｖ字状の固定部４２の他方の面と上面板４１との成す角は鋭角であればどのような角度でもよいが、本実施形態においては約４５度である。段板４が桁材３に固定される所定の段板間隔は、水平方向に例えば水平方向に２００ｍｍであり、桁材３の勾配が４５度であれば鉛直方向にも２００ｍｍである。
【００２１】
段板４は、前述のとおり、桁材３に所定の段板間隔で１４段形成されて階段下地２を完成させるものであり、下から２段目と３段目の連続する２段の段板４が桁材３から取り外されて、階段下に作業者が進入可能な階段下進入口５を形成している。なお、階段下地２の周囲は図示しない界壁又は間仕切壁に囲まれており、階段下進入口５以外からは階段下に進入できない。
【００２２】
仮設階段１は、階段下進入口５の上下に配置されている段板４に載置される一対の仮設側板６と、一対の仮設側板６の間に架け渡される２段の仮設踏板７とを備える。まず、図３を参照しつつ、一対の仮設側板６の構成を説明する。一対の仮設側板６は、平板状に形成された側板本体６１と、階段下進入口５の上側の段板４ａに載置される上側載置部６２と、階段下進入口５の下側の段板４ｂに載置される下側載置部６３と、側板本体６１同士の互いに対向する面に形成されており、仮設踏板７の端部を受ける受け部６５と、上側載置部６２及び下側載置部６３の段板４に当接する面に張り付けられる防滑性シート６４とを有する。
【００２３】
側板本体６１は、階段下進入口５に設置されたときに、長尺方向が桁材３に平行となる平板である。側板本体６１の下端には、水平な角材が互いに対向する面に固定されており、階段下進入口５の下側の段板４ｂに載置される下側載置部６３が形成される。また、側板本体６１の上部には、階段下進入口５の上側の段板４ａに載置されるように切り欠き６６が形成されており、水平な角材が、切り欠き６６の上側であり、且つ、互いに対向する面に固定されて、階段下進入口５の上側の段板４ａに載置される上側載置部６２が形成される。上側載置部６２及び下側載置部６３には、それぞれ防滑性シート６４が貼付されている。防滑性シート６４は段板４に当接した場合に摩擦力が大きい弾性を有する素材が好ましく、例えばゴムシートである。
【００２４】
また、側板本体６１の互いに対向する面の上側載置部６２と下側載置部６３の間には、等間隔で２つずつの角材が水平に固定されており、仮設踏板７を受ける受け部６５となっている。受け部６５は、上面に３箇所ずつ円柱状の受け入れ孔６７が形成されている。
【００２５】
次に、図４を参照しつつ、仮設踏板７の構成を説明する。仮設踏板７は、木製で一対の仮設側板６の間に架設される平板状の踏板本体７１と、蹴込み側の下面に固定されて仮設踏板７の位置合わせを行う前垂れ部７２と、踏板本体７１の下面の中央に固定される補強材７３と、踏板本体７１の両側の端部下面に形成され、受け部６５の受け入れ孔６７に挿入される円柱状の係止突起７４が形成される。
【００２６】
仮設階段１は、図５及び図６に示すように、階段下地２に形成された階段下進入口５の上側の段板４ａに仮設側板６の上側載置部６２を載置し、階段下進入口５の下側の段板４ｂに仮設踏板７の下側載置部６３を載置して、互いに距離を開けて平行に一対の仮設側板６を配置し、一対の仮設側板６の受け部６５の上に仮設踏板７の端部が載置されるように配置して、仮設踏板７を一対の仮設側板６の間に架設して完成させる。このとき、仮設踏板７の端部下面に形成された係止突起７４が受け部６５に設けられた受け入れ孔６７に挿入されて仮設踏板７と一対の仮設側板６とが固定される。
【００２７】
このように、仮設側板６は、階段下地２の段板４が設けられていない階段下進入口５の上側の段板４ａ及び下側の段板４ｂにそれぞれ仮設側板６の上側載置部６２及び下側載置部６３を載置するだけで設置することができ、また仮設踏板７は仮設側板６の受け部６５の上に端部を載置するように配置するだけで設置することができるので、仮設階段１は極めて簡単に設置することができる。そして、仮設側板６の上側載置部６２及び下側載置部６３は、防滑性シート６４が設けられているので、仮設側板６が階段下進入口５の上側及び下側の段板４ｂで滑ることなく配置され、仮設踏板７の端部下面に設けられた係止突起７４が仮設側板６の受け部６５に設けられた受け入れ孔６７に挿入されることで、仮設踏板７が一対の仮設側板６から脱落することもないので、作業者が仮設階段１及び階段下地２を利用して上下階を昇降する際の安全性を高めることができる。
【００２８】
なお、本実施形態においては、仮設踏板７の端部下面に係止突起７４が形成され、仮設側板６の受け部６５に受け入れ孔６７が形成されているが、仮設踏板７の端部下面に受け入れ孔６７を形成し、仮設側板６の受け部６５に係止突起７４を形成してもよい。仮設踏板７が一対の仮設側板６の間に架設された状態で脱落することが無い形状であればよい。
【００２９】
このような仮設階段１を利用した建築物の屋内施工方法は、まず、図７に示すように、基礎上に補助柱１２を設置して、梁１１及び補助柱１２に階段下地２を固定する。階段下地２は、一対の桁材３及び複数の段板４が予め工場で組み立てられて建築現場に搬入される。なお、桁材３及び段板４を現場で組み立てるものであってもよい。このとき、段板４のうち下から２番目及び３番目の段板４は階段下地２に固定されずに建築現場に搬入されており、階段下地２には予め階段下進入口５が形成されている。なお、階段下進入口５はこのように形成されるものに限られず、一対の桁材３にすべての段板４が固定された状態で建築現場に搬入され、その後、下から２段目及び３段目の段板４が取り外されるものであってもよい。
【００３０】
次に、図８に示すように一対の仮設側板６を階段下進入口５に設置する。すなわち、階段下進入口５の上側の段板４ａに仮設側板６の上側載置部６２が載置されるとともに、階段下進入口５の下側の段板４ｂに仮設側板６の下側載置部６３が載置されて、一対の仮設側板６が階段下進入口５の間に架設される。そして、次に、図９及び図１０に示すように、一対の仮設側板６の受け部６５に仮設踏板７の端部を載置して、仮設踏板７を一対の仮設側板６の間に架設する。仮設踏板７の端部下面に形成された係止突起７４は、受け部６５に設けられた受け入れ孔６７に挿入されて仮設踏板７が一対の仮設側板６の受け部６５から脱落することを防止している。
【００３１】
そして、次に、階段下の工事を行う階段下作業工程、及び上階の工事を行う上階作業工程が同時並行で行われる。なお、ここで「同時並行」とは、同じ期間内に階段下作業工程及び上階作業工程が行われることを意味し、資材や作業者の遣り繰りの都合で常に同時に作業が進行していなくてもよい。なお、階段下の工事とは、階段下の界壁や間仕切壁の設置、配線工事、内装仕上などの階段下地２の設置後に階段下で作業が行われる一切の工事をいう。また、上階の工事とは、上階の間仕切壁や界壁の設置、配線工事、内装仕上などの階段下地２の設置後に上階で作業が行われる一切の工事をいう。
【００３２】
階段下作業工程を行う場合には、作業者が階段下に出入りする必要がある。しかし、階段下地２の周りに、界壁や間仕切壁が設置されると、それ以降は、階段下地２の周りから階段下に進入することができないので、図９に示すように、階段下地２の階段下進入口５に設けられた仮設階段１から仮設踏板７を取り外して、一対の仮設側板６の間から作業者が階段下に出入りし、作業員が出入りした後に仮設踏板７を一対の仮設側板６に架設する。仮設踏板７は、端部下面の係止突起７４が一対の仮設側板６の受け部６５の上面に形成された受け入れ孔６７に挿入されつつ、受け部６５の上面に載置されることで、一対の仮設側板６の間に仮設されているので、仮設踏板７を持ち上げるだけで係止突起７４が受け入れ孔６７から抜け出して、仮設踏板７が一対の仮設側板６から取り外される。また、受け部６５の上面に形成された受け入れ孔６７に仮設踏板７の端部下面の係止突起７４を挿入するだけで仮設踏板７を一対の仮設側板６の間に架設できる。また、上階作業工程を行う場合には、図１０に示すように、一対の仮設側板６に仮設踏板７が架け渡されている状態で当該仮設踏板７、及び階段下地２の段板４を踏み込んで、上下階の昇降を行う。
【００３３】
以上のように、単に持ち上げるだけで、仮設踏板７を一対の仮設側板６から取り外すことができるので、階段下の狭い空間からでも簡単に仮設踏板７を押し上げることで仮設踏板７を取り外すことができる。また、単に仮設踏板７の端部を一対の仮設側板６に設けられた受け部６５に載置するだけで、受け入れ孔６７に係止突起７４が挿入されて仮設踏板７が架設されるので、例えば階段下からでも極めて簡単に仮設踏板７を取り付けることができる。
【００３４】
階段下作業工程が完了した後、階段下進入口５から仮設階段１を撤去する。すなわち、仮設踏板７を取り外すとともに、一対の仮設側板６を取り外して、図７に示すように、階段下地２の下から２段目及び３段目の段板４が取り外された状態とする。そして、図１１に示すように２段目及び３段目の段板４を桁材３にボルト固定して、階段下地２を完成させる。そして、階段下地２に化粧段板８１及び化粧蹴込み板８２を固定して、階段を仕上げる。
【００３５】
仮設階段１の撤去は、仮設踏板７を持ち上げて一対の仮設側板６から取り外し、その後仮設側板６を持ち上げて階段下進入口５から撤去するだけであり、また、階段下進入口５が設けられた箇所の桁材３に所定の段板間隔で段板４を固定することで、階段下進入口５が閉じられるので、階段下地２の上に化粧段板８１及び化粧蹴込み板８２等の階段の仕上げ材を配置して、簡単に階段を仕上げることができる。
【００３６】
本発明の実施の形態は上述の形態に限ることなく、本発明の思想の範囲を逸脱しない範囲で適宜変更することができることは云うまでもない。
【産業上の利用可能性】
【００３７】
本発明に係る仮設階段１及び建築物の屋内施工方法、階段下の空間に進入可能な仮設階段１及び当該仮設階段１を用いた建築物の屋内施工方法として好適である。
【符号の説明】
【００３８】
１      仮設階段
２      階段下地
３      桁材
４      段板
５      階段下進入口
６      仮設側板
７      仮設踏板
６２    上側載置部
６３    下側載置部
６４    防滑性シート
６５    受け部
６７    受け入れ孔
７４    係止突起
【図１】
2020051199.tif 000003
【図２】
2020051199.tif 000004
【図３】
2020051199.tif 000005
【図４】
2020051199.tif 000006
【図５】
2020051199.tif 000007
【図６】
2020051199.tif 000008
【図７】
2020051199.tif 000009
【図８】
2020051199.tif 000010
【図９】
2020051199.tif 000011
【図１０】
2020051199.tif 000012
【図１１】
2020051199.tif 000013
【図１２】
2020051199.tif 000014